【手続補正書】
【提出日】平成18年12月11日(2006.12.11)
【手続補正１】
【補正対象書類名】明細書
【補正対象項目名】特許請求の範囲
【補正方法】変更
【補正の内容】
【特許請求の範囲】
【請求項１】  式（Ｉ）
【化１】
2002534515.tif 000001
［式中、Ｗは、以下の式（ｉ）〜（xiii）
【化２】
2002534515.tif 000002
の一つであり；
Ｘ1は、Ｏ、Ｓ、またはＮＲFであり；
Ｘ2は、ＯＨ、ＳＨ、またはＮＨＲEであり；
ＲEおよびＲFの各々は、ＨまたはＣ1-4アルキルであり；
Ｒ1およびＲ2の各々は、独立してＨ、Ｆ、ＮＯ2、ＢｒおよびＣｌから選ばれ；
また、Ｒ1は、ＳＯ2ＮＲGＲHであることができるか、またはＲ1およびＲ2は、これらが結合しているベンゼン環と一緒になってインドール、イソインドール、ベンゾフラン、ベンゾチオフェン、インダゾール、ベンゾイミダゾール、またはベンゾチアゾールを構成し；
Ｒ3は、ＨまたはＦであり；
ＲG、ＲHおよびＲ4の各々は、独立してＨ、ＣｌおよびＣＨ3から選ばれ；
Ｒ5は、ＨまたはＣ3-4アルキルであり、そして
ここで、上記の各炭化水素基は、場合によりハロゲン、ヒドロキシル、アミノ、(アミノ)スルホニル、およびＮＯ2から独立して選ばれる１〜３個の置換基で置換されており、
ここで、上記の各複素環式基は、場合によりハロゲン、Ｃ3-4アルキル、Ｃ3-6シクロアルキル、Ｃ3-4アルケニル、Ｃ3-4アルキニル、フェニル、ヒドロキシル、アミノ、(アミノ)スルホニル、およびＮＯ2から独立して選ばれる１〜３個の置換基で置換されており、
ここで、各置換基アルキル、シクロアルキル、アルケニル、アルキニルまたはフェニルは、さらに場合によりハロゲン、Ｃ1-2アルキル、ヒドロキシル、アミノ、およびＮＯ2から独立して選ばれる１〜２個の置換基で置換されている］
の化合物またはその医薬上許容しうる塩もしくはＣ1-8エステル。
【請求項２】  Ｒ1がブロモまたはクロロである請求項１に記載の化合物。
【請求項３】  Ｒ2がフルオロである請求項１記載の化合物。
【請求項４】  Ｒ3がＨである請求項１に記載の化合物。
【請求項５】  Ｒ2およびＲ3の各々がＨである請求項１に記載の化合物。
【請求項６】  Ｒ2およびＲ3の各々がフルオロである請求項１に記載の化合物。
【請求項７】  Ｒ1がブロモである請求項１に記載の化合物。
【請求項８】  Ｒ1がフルオロである請求項１に記載の化合物。
【請求項９】  Ｒ2がニトロである請求項１に記載の化合物。
【請求項１０】  Ｒ3がＨである請求項１に記載の化合物。
【請求項１１】  Ｒ4がクロロである請求項１に記載の化合物。
【請求項１２】  Ｒ4がメチルである請求項１に記載の化合物。
【請求項１３】  Ｒ5がＨである請求項１に記載の化合物。
【請求項１４】  Ｒ5がＣＨ3である請求項１に記載の化合物。
【請求項１５】  Ｘ1がＯまたはＳである請求項１に記載の化合物。
【請求項１６】  Ｘ1がＮＨまたはＮＣＨ3である請求項１に記載の化合物。
【請求項１７】  Ｘ2がＯＨ、ＳＨ、またはＮＨ2である請求項１に記載の化合物。
【請求項１８】  Ｘ2がＮＨＣＨ3またはＯＨである請求項１に記載の化合物。
【請求項１９】  請求項１に記載の化合物および医薬上許容し得る担体からなる医薬組成物。
【請求項２０】  構造：［５−フルオロ−２−(１Ｈ−テトラゾール−５−イル）−フェニル］−（４−ヨード−２−メチル−フェニル）−アミン；［２,３−ジフルオロ−６−（１Ｈ−テトラゾール−５−イル）−フェニル］−（４−ヨード−２−メチル−フェニル）−アミン；（４−ヨード−２−メチル−フェニル）−［２,３,４−トリフルオロ−６−（１Ｈ−テトラゾール−５−イル）−フェニル］−アミン；［４−ブロモ−２,３−ジフルオロ−６−（１Ｈ−テトラゾール−５−イル）−フェニル］−（４−ヨード−２−メチル−フェニル）−アミン；［５−フルオロ−４−ニトロ−２−（１Ｈ−テトラゾール−５−イル）−フェニル］−（４−ヨード−２−メチル−フェニル）−アミン；［２−（４,４−ジメチル−４,５−ジヒドロ−オキサゾール−２−イル）−５−フルオロ−フェニル］−（４−ヨード−２−メチル−フェニル）−アミン；［６−（４,４−ジメチル−４,５−ジヒドロ−オキサゾール−２−イル）−２,３−ジフルオロ−フェニル］−（４−ヨード−２−メチル−フェニル）−アミン；［６−（４,４−ジメチル−４,５−ジヒドロ−オキサゾール−２−イル）−２,３,４−トリフルオロ−フェニル］−（４−ヨード−２−メチル−フェニル）−アミン；［４−ブロモ−６−（４,４−ジメチル−４,５−ジヒドロ−オキサゾール−２−イル）−２,３−ジフルオロ−フェニル］−（４−ヨード−２−メチル−フェニル）−アミン：  ［２−（４,４−ジメチル−４,５−ジヒドロ−オキサゾール−２−イル）−５−フルオロ−４−ニトロ−フェニル］−（４−ヨード−２−メチル−フェニル）−アミン；５−［４−フルオロ−２−（４−ヨード−２−メチル−フェニルアミノ）−フェニル］−［１,３,４］−チアジアゾール−２−オール；５−［３,４−ジフルオロ−２−（４−ヨード−２−メチル−フェニルアミノ）−フェニル］−［１,３,４］−チアジアゾール−２−オール；５−［３,４,５−トリフルオロ−２−（４−ヨード−２−メチル−フェニルアミノ）−フェニル］−［１,３,４］−チアジアゾール−２−オール；５−［５−ブロモ−３,４−ジフルオロ−２−（４−ヨード−２−メチル−フェニルアミノ）−フェニル］−［１,３,４］チアジアゾール−２−オール；５−［４−フルオロ−２−（４−ヨード−２−メチル−フェニルアミノ）−５−ニトロ−フェニル］−［１,３,４］チアジアゾール−２−オール；５−［４−フルオロ−２−（４−ヨード−２−メチル−フェニルアミノ）−フェニル］−［１,３,４］−オキサジアゾール−２−オール；５−［３,４−ジフルオロ−２−（４−ヨード−２−メチル−フェニルアミノ）−フェニル］−［１,３,４］オキサジアゾール−２−オール；５−［３,４,５−トリフルオロ−２−（４−ヨード−２−メチル−フェニルアミノ）−フェニル］−［１,３,４］オキサジアゾール−２−オール；５−［５−ブロモ−３,４−ジフルオロ−２−（４−ヨード−２−メチル−フェニルアミノ）−フェニル］−［１,３,４］オキサジアゾール−２−オール；５−［４−フルオロ−２−（４−ヨード−２−メチル−フェニルアミノ）−５−ニトロ−フェニル］−［１,３,４］オキサジアゾール−２−オール；５−［４−フルオロ−２−（４−ヨード−２−メチル−フェニルアミノ）−フェニル］−４Ｈ−［１,２,４］トリアゾール−３−オール；５−［３,４−ジフルオロ−２−（４−ヨード−２−メチル−フェニルアミノ）−フェニル］−４Ｈ−［１,２,４］トリアゾール−３−オール；５−［３,４,５−トリフルオロ−２−（４−ヨード−２−メチル−フェニルアミノ）−フェニル］−４Ｈ−［１,２,４］トリアゾール−３−オール；５−［５−ブロモ−３,４−ジフルオロ−２−（４−ヨード−２−メチル−フェニルアミノ）−フェニル］−４Ｈ−［１,２,４］トリアゾール−３−オール；または５−［４−フルオロ−２−（４−ヨード−２−メチル−フェニルアミノ）−５−ニトロ−フェニル］−４Ｈ−［１,２,４］トリアゾール−３−オールを有する請求項１に記載の化合物。
【請求項２１】  構造：５−［４−フルオロ−２−（４−ヨード−２−メチル−フェニルアミノ）−フェニル］−［１,３,４］チアジアゾール−２−イルアミン；５−［３,４−ジフルオロ−２−（４−ヨード−２−メチル−フェニルアミノ）−フェニル］−［１,３,４］チアジアゾール−２−イルアミン；５−［３,４,５−トリフルオロ−２−（４−ヨード−２−メチル−フェニルアミノ）−フェニル］−［１,３,４］チアジアゾール−２−イルアミン；５−［５−ブロモ−３,４−ジフルオロ−２−（４−ヨード−２−メチル−フェニルアミノ）−フェニル］−［１,３,４］チアジアゾール−２−イルアミン；５−［４−フルオロ−２−（４−ヨード−２−メチル−フェニルアミノ）−５−ニトロ−フェニル］−［１,３,４］チアジアゾール−２−イルアミン；５−［４−フルオロ−２−（４−ヨード−２−メチル−フェニルアミノ）−フェニル］−［１,３,４］オキサジアゾール−２−イルアミン；５−［３,４−ジフルオロ−２−（４−ヨード−２−メチル−フェニルアミノ）−フェニル］−［１,３,４］オキサジアゾール−２−イルアミン；５−［３,４,５−トリフルオロ−２−（４−ヨード−２−メチル−フェニルアミノ）−フェニル］−［１,３,４］オキサジアゾール−２−イルアミン；５−［５−ブロモ−３,４−ジフルオロ−２−（４−ヨード−２−メチル−フェニルアミノ）−フェニル］−［１,３,４］オキサジアゾール−２−イルアミン；５−［４−フルオロ−２−（４−ヨード−２−メチル−フェニルアミノ）−５−ニトロ−フェニル］−［１,３,４］オキサジアゾール−２−イルアミン；５−［４−フルオロ−２−（４−ヨード−２−メチル−フェニルアミノ）−フェニル］−４Ｈ−［１,２,４］トリアゾール−３−イルアミン；５−［３,４−ジフルオロ−２−（４−ヨード−２−メチル−フェニルアミノ）−フェニル］−４Ｈ−［１,２,４］トリアゾール−３−イルアミン；５−［３,４,５−トリフルオロ−２−（４−ヨード−２−メチル−フェニルアミノ）−フェニル］−４Ｈ−［１,２,４］トリアゾール−３−イルアミン；５−［５−ブロモ−３,４−ジフルオロ−２−（４−ヨード−２−メチル−フェニルアミノ）−フェニル］−４Ｈ−［１,２,４］トリアゾール−３−イルアミン；５−［４−フルオロ−２−（４−ヨード−２−メチル−フェニルアミノ）−５−ニトロ−フェニル］−４Ｈ−［１,２,４］トリアゾール−３−イルアミン；５−［４−フルオロ−２−（４−ヨード−２−メチル−フェニルアミノ）−フェニル］−［１,３,４］チアジアゾール−２−チオール；５−［３,４−ジフルオロ−２−（４−ヨード−２−メチル−フェニルアミノ）−フェニル］−［１,３,４］チアジアゾール−２−チオール；５−［３,４,５−トリフルオロ−２−（４−ヨード−２−メチル−フェニルアミノ）−フェニル］−［１,３,４］チアジアゾール−２−チオール；５−［５−ブロモ−３,４−ジフルオロ−２−（４−ヨード−２−メチル−フェニルアミノ）−フェニル］−［１,３,４］チアジアゾール−２−チオール；５−［４−フルオロ−２−（４−ヨード−２−メチル−フェニルアミノ）−５−ニトロ−フェニル］−［１,３,４］チアジアゾール−２−チオール；５−［４−フルオロ−２−（４−ヨード−２−メチル−��ェニルアミノ）−フェニル］−［１,３,４］オキサジアゾール−２−チオール；５−［３,４−ジフルオロ−２−（４−ヨード−２−メチル−フェニルアミノ）−フェニル］−［１,３,４］オキサジアゾール−２−チオール；５−［３,４,５−トリフルオロ−２−（４−ヨード−２−メチル−フェニルアミノ）−フェニル］−［１,３,４］オキサジアゾール−２−チオール；５−［５−ブロモ−３,４−ジフルオロ−２−（４−ヨード−２−メチル−フェニルアミノ）−フェニル］−［１,３,４］オキサジアゾール−２−チオール；５−［４−フルオロ−２−（４−ヨード−２−メチル−フェニルアミノ）−５−ニトロフェニル］−［１,３,４］オキサジアゾール−２−チオール；５−［４−フルオロ−２−（４−ヨード−２−メチル−フェニルアミノ）−フェニル］−４Ｈ−［１,２,４］トリアゾール−３−チオール；５−［３,４−ジフルオロ−２−（４−ヨード−２−メチル−フェニルアミノ）−フェニル］−４Ｈ−［１,２,４］トリアゾール−３−チオール；５−［３,４,５−トリフルオロ−２−（４−ヨード−２−メチル−フェニルアミノ）−フェニル］−４Ｈ−［１,２,４］トリアゾール−３−チオール；５−［５−ブロモ−３,４−ジフルオロ−２−（４−ヨード−２−メチル−フェニルアミノ）−フェニル］−４Ｈ−［１,２,４］トリアゾール−３−チオールまたは５−［４−フルオロ−２−（４−ヨード−２−メチル−フェニルアミノ）−５−ニトロ−フェニル］−４Ｈ−［１,２,４］トリアゾール−３−チオールを有する請求項１に記載の化合物。
【請求項２２】  構造：５−［４−フルオロ−２−（４−ヨード−２−メチル−フェニルアミノ）−フェニル］−イソチアゾール−３−オール；５−［３,４−ジフルオロ−２−（４−ヨード−２−メチル−フェニルアミノ）−フェニル］−イソチアゾール−３−オール；５−［３,４,５−トリフルオロ−２−（４−ヨード−２−メチル−フェニルアミノ）−フェニル］−イソチアゾール−３−オール；５−［５−ブロモ−３,４−ジフルオロ−２−（４−ヨード−２−メチル−フェニルアミノ）−フェニル］−イソチアゾール−３−オール；５−［４−フルオロ−２−（４−ヨード−２−メチル−フェニルアミノ）−５−ニトロ−フェニル］−イソチアゾール−３−オール；５−［４−フルオロ−２−（４−ヨード−２−メチル−フェニルアミノ）−フェニル］−イソキサゾール−３−オール；５−［３,４−ジフルオロ−２−（４−ヨード−２−メチル−フェニルアミノ）−フェニル］−イソキサゾール−３−オール；５−［３,４,５−トリフルオロ−２−（４−ヨード−２−メチル−フェニルアミノ）−フェニル］−イソキサゾール−３−オール；５−［５−ブロモ−３,４−ジフルオロ−２−（４−ヨード−２−メチル−フェニルアミノ）−フェニル］−イソキサゾール−３−オール；５−［４−フルオロ−２−（４−ヨード−２−メチル−フェニルアミノ）−５−ニトロ−フェニル］−イソキサゾール−３−オール；５−［４−フルオロ−２−（４−ヨード−２−メチル−フェニルアミノ）−フェニル］−１Ｈ−ピラゾール−３−オール；５−［３,４−ジフルオロ−２−（４−ヨード−２−メチル−フェニルアミノ）−フェニル］−１Ｈ−ピラゾール−３−オール；５−［３,４,５−トリフルオロ−２−（４−ヨード−２−メチル−フェニルアミノ）−フェニル］−１Ｈ−ピラゾール−３−オール；５−［５−ブロモ−３,４−ジフルオロ−２−（４−ヨード−２−メチル−フェニルアミノ）−フェニル］−１Ｈ−ピラゾール−３−オール；５−［４−フルオロ−２−（４−ヨード−２−メチル−フェニルアミノ）−５−ニトロ−フェニル］−１Ｈ−ピラゾール−３−オール；４−［４−フルオロ−２−（４−ヨード−２−メチル−フェニルアミノ）−フェニル］−イソチアゾール−３−オール；４−［３,４−ジフルオロ−２−（４−ヨード−２−メチル−フェニルアミノ）−フェニル］−イソチアゾール−３−オール；４−［３,４,５−トリフルオロ−２−（４−ヨード−２−メチル−フェニルアミノ）−フェニル］−イソチアゾール−３−オール；４−［５−ブロモ−３,４−ジフルオロ−２−（４−ヨード−２−メチル−フェニルアミノ）−フェニル］−イソチアゾール−３−オール；４−［４−フルオロ−２−（４−ヨード−２−メチル−フェニルアミノ）−５−ニトロ−フェニル］−イソチアゾール−３−オール；４−［４−フルオロ−２−（４−ヨード−２−メチル−フェニルアミノ）−フェニル］−イソキサゾール−３−オール；４−［３,４−ジフルオロ−２−（４−ヨード−２−メチル−フェニルアミノ）−フェニル］−イソキサゾール−３−オール；４−［３,４,５−トリフルオロ−２−（４−ヨード−２−メチル−フェニルアミノ）−フェニル］−イソキサゾール−３−オール；４−［５−ブロモ−３,４−ジフ��オロ−２−（４−ヨード−２−メチル−フェニルアミノ）−フェニル］−イソキサゾール−３−オール；４−［４−フルオロ−２−（４−ヨード−２−メチル−フェニルアミノ）−５−ニトロ−フェニル］−イソキサゾール−３−オール；４−［４−フルオロ−２−（４−ヨード−２−メチル−フェニルアミノ）−フェニル］−１−メチル−１Ｈ−ピラゾール−３−オール；４−［３,４−ジフルオロ−２−（４−ヨード−２−メチル−フェニルアミノ）−フェニル］−１−メチル−１Ｈ−ピラゾール−３−オール；１−メチル−４−［３,４,５−トリフルオロ−２−（４−ヨード−２−メチル−フェニルアミノ）−フェニル］−１Ｈ−ピラゾール−３−オール；４−［５−ブロモ−３,４−ジフルオロ−２−（４−ヨード−２−メチル−フェニルアミノ）−フェニル］−１−メチル−１Ｈ−ピラゾール−３−オール；または４−［４−フルオロ−２−（４−ヨード−２−メチル−フェニルアミノ）−５−ニトロ−フェニル］−１−メチル−１Ｈ−ピラゾール−３−オールを有する請求項１に記載の化合物。
【請求項２３】  構造：５−［２−（２−アミノ−４−ヨード−フェニルアミノ）−４−フルオロ−フェニル］−１−メチル−１Ｈ−［１,２,３］トリアゾール−４−オール；５−［２−（２−アミノ−４−ヨード−フェニルアミノ）−３,４−ジフルオロフェニル］−１−メチル−１Ｈ−［１,２,３］トリアゾール−４−オール；５−［２−（２−アミノ−４−ヨード−フェニルアミノ）−３,４,５−トリフルオロ−フェニル］−１−メチル−１Ｈ−［１,２,３］トリアゾール−４−オール；５−［２−（２−アミノ−４−ヨード−フェニルアミノ）−５−ブロモ−３,４−ジフルオロ−フェニル］−１−メチル−１Ｈ−［１,２,３］トリアゾール−４−オール；５−［２−（２−アミノ−４−ヨード−フェニルアミノ）−４−フルオロ−５−ニトロ−フェニル］−１−メチル−１Ｈ−［１,２,３］トリアゾール−４−オール；５−［４−フルオロ−２−（４−ヨード−２−メチルフェニルアミノ）−フェニル］−３−メチル−３Ｈ−［１,２,３］トリアゾール−４−オール；５−［３,４−ジフルオロ−２−（４−ヨード−２−メチル−フェニルアミノ）−フェニル］−３−メチル−３Ｈ−［１,２,３］トリアゾール−４−オール；３−メチル−５−［３,４,５−トリフルオロ−２−（４−ヨード−２−メチル−フェニルアミノ）−フェニル］−３Ｈ−［１,２,３］トリアゾール−４−オール；５−［５−ブロモ−３,４−ジフルオロ−２−（４−ヨード−２−メチル−フェニルアミノ）−フェニル］−３−メチル−３Ｈ−［１,２,３］トリアゾール−４−オール；５−［４−フルオロ−２−（４−ヨード−２−メチル−フェニルアミノ）−５−ニトロ−フェニル］−３−メチル−３Ｈ−［１,２,３］トリアゾール−４−オール；４−［４−フルオロ−２−（４−ヨード−２−メチル−フェニルアミノ）−フェニル］−２−メチル−２Ｈ−ピラゾール−３−オール；４−［３,４−ジフルオロ−２−（４−ヨード−２−メチル−フェニルアミノ）−フェニル］−２−メチル−２Ｈ−ピラゾール−３−オール；２−メチル−４−［３,４,５−トリフルオロ−２−（４−ヨード−２−メチル−フェニルアミノ）−フェニル］−２Ｈ−ピラゾール−３−オール；４−［５−ブロモ−３,４−ジフルオロ−２−（４−ヨード−２−メチル−フェニルアミノ）−フェニル］−２−メチル−２Ｈ−ピラゾール−３−オール；４−［４−フルオロ−２−（４−ヨード−２−メチル−フェニルアミノ）−５−ニトロ−フェニル］−２−メチル−２Ｈ−ピラゾール−３−オール；１−［４−フルオロ−２−（４−ヨード−２−メチル−フェニルアミノ）−フェニル］−４−メチル−１,４−ジヒドロ−テトラゾール−５−オン；１−［３,４−ジフルオロ−２−（４−ヨード−２−メチル−フェニルアミノ）−フェニル］−４−メチル−１,４−ジヒドロ−テトラゾール−５−オン；１−メチル−４−［３,４,５−トリフルオロ−２−（４−ヨード−２−メチル−フェニルアミノ）−フェニル］−１,４−ジヒドロ−テトラゾール−５−オン；１−［５−ブロモ−３,４−ジフルオロ−２−（４−ヨード−２−メチル−フェニルアミノ）−フェニル］−４−メチル−１,４−ジヒドロ−テトラゾール−５−オン；１−［４−フルオロ−２−（４−ヨード−２−メチル−フェニルアミノ）−５−ニトロ−フェニル］−４−メチル−１,４−ジヒドロ−テトラゾール−５−オン；１−［４−フルオロ−２−（４−ヨード−２−メチル−フェニルアミノ）−フェニル］−１Ｈ−［１,２,３］トリアゾール−４−オール；１−［３,４−ジフルオロ−２−（４−ヨード−２−メチル−フェニルアミノ）−フェニル］−１Ｈ−［１,２,３］トリアゾール−４−オール；１−［３,４,５−トリフルオロ−２−（４−ヨード−２−メチル−フェニルアミノ）−フェニル］−１Ｈ−［１,２,３］トリアゾール−４−オール；１−［５−ブロモ−３,４−ジフルオロ−２−（４−ヨード−２−メチル−フェニルアミノ）−フェニル］−１Ｈ−［１,２,３］トリアゾール−４−オール；または１−［４−フルオロ−２−（４−ヨード−２−メチル−フェニルアミノ）−５−ニトロ−フェニル］−１Ｈ−［１,２,３］トリアゾール−４−オールを有する請求項１に記載の化合物。
【請求項２４】  構造：３−［４−フルオロ−２−（４−ヨード−２−メチル−フェニルアミノ）−フェニル］−２Ｈ−イソキサゾール−５−オン；３−［３,４−ジフルオ
ロ−２−（４−ヨード−２−メチル−フェニルアミノ）−フェニル］−２Ｈ−イソキサゾール−５−オン；３−［３,４,５−トリフルオロ−２−（４−ヨード−２−メチル−フェニルアミノ）−フェニル］−２Ｈ−イソキサゾール−５−オン；３−［５−ブロモ−３,４−ジフルオロ−２−（４−ヨード−２−メチル−フェニルアミノ）−フェニル］−２Ｈ−イソキサゾール−５−オン；３−［４−フルオロ−２−（４−ヨード−２−メチル−フェニルアミノ）−５−ニトロ−フェニル］−２Ｈ−イソキサゾール−５−オン；［５−フルオロ−２−（２−オキソ−２,３−ジヒドロ−２ｌ＞４＿−［１,２,３,５］オキサチアジアゾール−４−イル）−フェニル］−（４−ヨード−２−メチル−フェニル）−アミン；［２,３−ジフルオロ−６−（２−オキソ−２,３−ジヒドロ−２ｌ＞４＿−［１,２,３,５］オキサチアジアゾール−４−イル）−フェニル］−（４−ヨード−２−メチル−フェニル）−アミン；（４−ヨード−２−メチル−フェニル）−［２,３,４−トリフルオロ−６−（２−オキソ−２,３−ジヒドロ−２ｌ＞４＿−［１,２,３,５］オキサチアジアゾール−４−イル）−フェニル］−アミン；［４−ブロモ−２,３−ジフルオロ−６−（２−オキソ−２,３−ジヒドロ−２ｌ＞４＿−［１,２,３,５］オキサチアジアゾール−４−イル）−フェニル］−（４−ヨード−２−メチル−フェニル）−アミン；［５−フルオロ−４−ニトロ−２−（２−オキソ−２,３−ジヒドロ−２ｌ＞４ −［１,２,３,５］オキサチアジアゾール−４−イル）−フェニル］−（４−ヨード−２−メチル−フェニル）−アミン；４−［４−フルオロ−２−（４−ヨード−２−メチル−フェニルアミノ）−フェニル］−４Ｈ−イソキサゾール−５−オン；４−［３,４−ジフルオロ−２−（４−ヨード−２−メチル−フェニルアミノ）−フェニル］−４Ｈ−イソキサゾール−５−オン；４−［３,４,５−トリフルオロ−２−（４−ヨード−２−メチル−フェニルアミノ）−フェニル］−４Ｈ−イソキサゾール−５−オン；４−［５−ブロモ−３,４−ジフルオロ−２−（４−ヨード−２−メチル−フェニルアミノ）−フェニル］−４Ｈ−イソキサゾール−５−オン；または４−［４−フルオロ−２−（４−ヨード−２−メチル−フェニルアミノ）−５−ニトロ−フェニル］−４Ｈ−イソキサゾール−５−オンを有する請求項１に記載の化合物。